(57)【特許請求の範囲】
【請求項１】
超音波プローブによって媒体の画像を取り込むことが可能な超音波画像装置と結合することを目的とする電子表示システムであって、前記システムは前記超音波画像装置を介して取り込まれるような超音波画像を表示する第１のモニタと画像処理手段とを備え、前記システムは、少なくとも、
−タッチ・スクリーン・モニタである、前記第１のモニタとは別の第２のモニタと、
−前記第１のモニタに表示される前記超音波画像の複製を生成することが可能な、前記超音波画像を複製する手段であって、その後、前記超音波画像の少なくとも一部が表示される前記第２のモニタにこの複製を送る手段と、
−前記スクリーンの触知性を利用して前記超音波画像に対して少なくとも１つの処理操作を実施するために使用される、少なくとも１つの図形要素を前記第２のモニタに表示するための表示手段であって、前記図形要素のこれらの表示手段は前記図形要素が複製超音波画像に重ね合わされて表示されるものである、表示手段と、
−前記第２のモニタに表示される前記複製超音波画像に対して、前記第２のモニタを用いて実施されるすべての処理操作を迅速に実施する手段と、
−前記第２のモニタを用いて、前記複製超音波画像に対して実施される前記処理操作の全部または一部を、前記第１のモニタに表示される超音波画像に迅速にあるいは延期して適用する手段と、
をさらに備え、
前記第２のモニタは、前記第１のモニタに表示される少なくとも１つの超音波画像から得られる三次元体積を表示することができ、前記第２のモニタの触知性によってこれら三次元体積を操作できる三次元移動手段を有し、かつ
前記適用する手段は、前記処理操作を迅速に適用するかあるいは延期して適用するかを選定できることを特徴とする、電子表示システム。
【請求項２】
前記適用する手段は、前記第２のモニタを用いて、前記複製超音波画像に対して実施される処理操作の中から前記超音波画像に適用されるべき処理操作を選定できることを特徴とする、請求項１に記載の電子表示システム。
【請求項３】
前記図形要素は、利得補償の調整に使用されるポテンショメータを表わす１組のカーソルであることを特徴とする、請求項１または請求項２に記載の電子表示システム。
【請求項４】
前記ポテンショメータの前記カーソルは、前記第２のモニタのタッチ・スクリーン上の指の進路と移動される各カーソルが沿う線との交差を検出することによって位置決め可能であることを特徴とする、請求項３に記載の電子表示システム。
【請求項５】
前記複製超音波画像における前記図形要素の表示は、前記超音波画像装置および前記画像処理手段のうちの少なくとも一方によって与えられる画像収集条件に基づくデータに関する前記画像の処理の要求に適合されることを特徴とする、請求項１〜４のいずれか一項に記載の電子表示システム。
【請求項６】
前記第２のモニタでは、前記複製超音波画像へのタッチ操作によって、ズーム、領域選択、サイズ測定の機能の中から選定される少なくとも１つの機能が実施可能であることを特徴とする、請求項１〜５のいずれか一項に記載の電子表示システム。
【請求項７】
前記適用する手段は、前記第１のモニタに表示される前記超音波画像に適用される前記処理操作が、前記複製超音波画像で選択される少なくとも１つの領域のみに適用されるものであることを特徴とする、請求項６に記載の電子表示システム。
【請求項８】
前記第２のモニタは、前記第１のモニタに表示される前記超音波画像またはテキストフィールドにおける書込み挿入手段として使用でき、この後、前記第２のモニタのタッチ・スクリーンはキーボードおよび書込み表示ウィンドウを表示し、前記適用する手段は前記書込みを前記超音波画像または前記第１のモニタに表示されるようなテキストフィールドに適用できることを特徴とする、請求項１〜７のいずれか一項に記載の電子表示システム。
【請求項９】
前記電子表示システムは前記超音波画像に撮像されるような構造を象徴するボディマークの前記第２のモニタへの表示を可能にし、前記第２のモニタのタッチ・スクリーン上の２点に触れることによって、あるいは前記第２のモニタのタッチ・スクリーン上の２点間をスライド移動させることによって、前記ボディマークに対してプローブ身体部位マーカーの位置決めを可能にする身体部位位置決め手段を備えることを特徴とする、請求項１〜８のいずれか一項に記載の電子表示システム。
【請求項１０】
前記第２のモニタは複数のミニチュア画像を表示することができるので、前記適用する手段は前記第２のモニタ上の複数の画像の中から選定される画像が前記第１のモニタに自動的に表示されるものであることを特徴とする、請求項１〜９のいずれか一項に記載の電子表示システム。
【請求項１１】
電子表示システムの第１のモニタに表示される超音波画像を処理する方法において、前記電子表示システムは、前記超音波画像を取り込むことができる超音波画像装置と結合されるとともに画像処理手段をさらに備え、前記方法は、
−前記第１のモニタに表示される前記超音波画像を複製し、前記第１のモニタから独立しているタッチ・スクリーン・モニタである第２のモニタにこの複製を送るステップと、
−前記第２のモニタ上に前記複製の少なくとも一部を表示するステップと、
−前記スクリーンの触知性によって、複製超音波画像に対する少なくとも１つの処理操作の実施を可能にする少なくとも１つの図形要素を前記第２のモニタ上に表示するステップであって、前記図形要素を表示するこのステップは、前記図形要素が前記複製超音波画像に重ね合わされて表示されるものである、ステップと、
−前記図形要素を介して制御されるような前記処理を実施するステップと、
−前記第２のモニタを用いて実施されるすべての処理操作を前記第２のモニタに表示される前記複製超音波画像に迅速に適用するステップと、
−前記第１のモニタに表示される前記超音波画像に、前記第２のモニタによって前記複製超音波画像に対して実施される前記処理操作の全部または一部を迅速にあるいは延期して適用するステップと、
を備え、
前記第２のモニタは、前記第１のモニタに表示される少なくとも１つの超音波画像から得られる三次元体積を表示することができ、前記第２のモニタの触知性によってこれら三次元体積を操作できる三次元移動手段を有し、かつ
前記適用するステップは、前記処理操作を迅速に適用するかあるいは延期して適用するかを選定できることを特徴とする、方法。
【発明の詳細な説明】
【技術分野】
【０００１】
本発明は、一般的に、画像を表示する電子システムの一般分野に関し、具体的には、媒体の画像を取り込むことが可能な超音波画像装置と結合することを目的としている画像を表示する電子システムに関する。
【背景技術】
【０００２】
一般に、このような電子表示システムは、超音波画像装置によって取り込まれるような超音波画像を表示するためのモニタを備える。これらの電子表示システムは、画像処理手段を備えるか、あるいは処理手段に接続される。
【０００３】
このような電子表示システムは、たとえば、特許文献１、特許文献２、および特許文献３によって当業者に知られている。
これらの特許文献には、単一表示モニタを備える表示システムが記載されている。この単一モニタは、超音波画像と超音波画像の処理を実施するために使用される図形要素とによって共有される表示空間を定める。
【０００４】
これらの電子表示システムに関する主な欠点は、表示された超音波画像の処理を実施するために使用される図形要素を表示することができるように、画像の目盛を変更するかあるいは画像を切り取ることによって全画面表示形式で表示される超音波画像のサイズを縮小する必要があることである。
【０００５】
したがって、表示された画像の全体を維持すること、又はこの画像に対する最大分解能を維持することが可能ではない。
しかしながら、超音波画像診断の分野では、生物学的異常の検出および／または撮影されたような画像の全体に対する位置の識別を行なうために、得られる最良の分解能で表示される画像全体を有することが特に有用であると考えられるようになっている。
【０００６】
このような理由で、数多くのシステムは画像処理のみを行なうために使用されるタッチ・スクリーン・モニタも提供しているが、その効果は主表示モニタに見られるだけである。これは、事実上、優れた画質を保証するが、２台のモニタに同時に注意を払うことをユーザに強いることになり、検診の設定ではほとんど不可能または受け入れがたいものとなる。
【０００７】
さらに広く見れば、この分野では、超音波画像表示および処理システムに対するユーザインターフェースの最大限の簡素化を実現することも望ましい。超音波装置およびその表示システムは、一般に、素早くかつ容易にアクセスされる使いやすい手段を十分に理解している医療スタッフによって操作される。
【先行技術文献】
【特許文献】
【０００８】
【特許文献１】米国特許第６，０６３，０３０号明細書
【特許文献２】米国特許第６，４６８，２１２号明細書
【特許文献３】米国特許第７，０２２，０７５号明細書
【発明の概要】
【発明が解決しようとする課題】
【０００９】
本発明は、上記した懸案を鑑みてなされたものである。
【課題を解決するための手段】
【００１０】
したがって、本発明は、主に、媒体の画像を取り込むことが可能な超音波画像装置と結合するための電子表示システムを提案することによって先行技術の電子表示システムの欠点を克服しようとするものであり、このシステムは、超音波画像装置を用いて取り込まれるような超音波画像を表示するための第１のモニタと、画像処理手段とを備え、少なくとも：
−第２のタッチ・スクリーン・モニタと；
−第１のモニタに表示される超音波画像の複製を生成することが可能な超音波画像を複製するための手段であって、この後、この複製の少なくとも一部を表示する第２のモニタにこの複製を送るための手段と；
−スクリーンの触知性を利用して超音波画像の少なくとも１つの処理操作を実施するために使用される少なくとも１つの図形要素を第２のモニタに表示するための手段であって、図形要素が複製超音波画像に重ね合わされて表示されるように図形要素を表示するための手段と；
−第２のモニタを用いて、実施されるすべての処理操作を第２のモニタに表示される複製超音波画像に迅速に適用する手段と；
−第２のモニタを用いて、複製超音波画像に対して実施される処理操作の全部または一部について第１のモニタに表示される超音波画像に迅速にあるいは延期して適用する手段と、をさらに備えることを特徴とする。
【００１１】
このような表示システムでは、得られるような超音波画像の表示は、より低い鮮明度および／または縮小されたサイズの取得画像を処理するように適合された画像の表示とともに、第１のモニタにおける最大鮮明度および最大サイズが保証できる。
【００１２】
複製超音波画像は、第２のモニタに対する処理を実施するための図形要素が存在することと相まって、画像処理コントロールに対するアクセスがきわめて簡単で利用しやすくなる。第２のモニタは、実際には、特に、これらのコントロールに専用化されているが、この第２のモニタには超音波画像の複製の形で得られるような超音波画像をより小さい形で表示する。
【００１３】
したがって、処理操作が第２のモニタに表示されるような超音波画像の複製に迅速に適用された後で超音波画像の複製は迅速にあるいは延期して第１のモニタに送られるので、処理コントロールおよび監視が本発明によって容易になる。
【００１４】
処理操作を実施するために本発明に従って図形要素を表示することによって、複製画像で実施される処理において生じる変化を監視することが特に容易になる。このことによって、複製超音波画像のサイズの不利な縮小をせざるをえない状態を回避することが可能になる。
【００１５】
本発明の１つの具体的な特徴によると、適用する手段によって、実施される処理を迅速に適用するかあるいは延期して適用するかを選定することができる。
本発明の別の具体的な特徴によると、適用する手段によって、第２のモニタを用いて複製超音波画像に対して実施される処理操作の中から超音波画像に適用されるべき処理操作を選択することができる。
【００１６】
上記の２つの特徴は、第１のモニタに表示される超音波画像に適用され、したがって、最良品質および最大サイズの画像に適用されることが望ましい処理操作の手動制御をユーザに提供する。
【００１７】
処理操作の結果を第１のモニタに表示される超音波画像に移動するとき、第２のモニタに適用された処理操作の一部のみを適用する能力を有すること、したがって、適用すべき処理操作を選定する能力を有することが有利である。
【００１８】
したがって、ユーザは、特に、事前に選択されて第２のモニタに表示される画像の特定の一部のみに１つの処理要素を適用することを望んでもよい。これは選択手段によって可能になる。
【００１９】
本発明の有利な一実施形態において、図形要素は、時間利得補償（ｔｉｍｅ−ｇａｉｎ  ｃｏｍｐｅｎｓａｔｉｏｎ）の調整に使用されるポテンショメータを表わす１組のカーソルである。
【００２０】
このような処理操作の影響は、第２のモニタに、したがって、図形要素が重ね合わせられるときにポテンショメータそのものの真下に表示されるような複製画像に直接加えられるので、このような図形要素によって、利得補償の変化の監視を特に容易で身近なものにすることができる。このことによって、処理は非常に正確かつきわめて簡単な操作で変調可能となる。
【００２１】
有利な一実施において、ポテンショメータのカーソルは、タッチ・スクリーン上の指の進路と移動される各カーソルが沿う線との交差を検出することによって位置決め可能である。
【００２２】
この特徴によって、１本の指を移動するだけで済むので利得補償を非常に素早く調整することができる。
本発明の有利な一実施において、複製超音波画像における図形要素の表示は、超音波画像装置および／または画像処理手段によって提供される画像の収集条件に基づくデータに関する画像処理の要求に適合される。
【００２３】
この特徴では、画像を収集するときにスキャンされる分析の深さに応じて、利得補償を調整するポテンショメータの数を修正することが可能になる。
本発明の有利な一特徴によると、第２のタッチ・スクリーン・モニタは、複製された画像へのタッチ操作によって、ズーミング、領域の選択、サイズ測定の機能の中から少なくとも１つの機能を実施することができる。
【００２４】
このような機能によって、画像へのズームインに続いて特定処理が適用されるべき領域の選択が可能になり、この後、この処理は第１のモニタに表示されるような全超音波画像における対応する選択された領域で再現される。
【００２５】
選択された領域において、タッチ・スクリーンの助けを借りて、超音波画像に表示される構造の寸法を測ることができることは一般的に有用である。この機能は、一般に、既知の電子表示システムでマウスによって提供される。超音波画像の複製またはその一部でタッチ・スクリーンを直接使用すると、実施が非常に簡単な利用しやすい手段によってこの機能を利用することができる。
【００２６】
本発明の具体的な一特徴によると、第２のタッチ・スクリーン・モニタは、第１のモニタに表示される超音波画像または第１のモニタに表示される形態へ書込み挿入手段として使用でき、この後、タッチ・スクリーンはキーボードおよび書込み監視ウィンドウを表示し、適用する手段は第１のモニタに表示されるような超音波画像に書かれたテキストを適用できる。
【００２７】
書込み挿入は、先行技術においても既知の機能であり、表示に使用される単一モニタに接続されたキーボードによって実現される。この後、書込みは上記の単一モニタのスクリーン上で直ちに再現され、一般に、スクリーン上に書き込まれている内容をユーザが見るためにはキーボードから視線を上げざるをえず、これはキーボードの使用にほとんど慣れていない多くの人々にとって不都合である。同時に、快適な触知覚を提供する物理的なキーボードを使用すると、大きな機械的および人間工学的制約がもたらされ、すなわち、制御パネルや複雑な機械的統合に場所を取られる。
【００２８】
タッチ・スクリーン・モニタ上での仮想的なキーボードの表示を提案することによって、ユーザは書き込まれてしまっている内容を元に戻せなくなる。したがって、書込み監視ウィンドウとともにこの仮想キーボードを提供することによって、ユーザは見上げなくても自分の指が置かれている点の近くにて自分が書き込んだ内容を見ることができる。こうして、どんな誤りも直ちに修正され、超音波画像に挿入された書込みは、より実用的でかつ信頼性が高いものとなる。さらに、本発明は、機械的キーボードを利用する場合に比べて空間を節約し使用が容易になる。
【００２９】
有利なことに、適用する手段は、超音波画像への書込みを、迅速に、あるいは各改行後に、適用することができる。
本発明の有利な一特徴によると、本発明の電子システムは、超音波画像に撮像されるような構造を象徴する第２のモニタに身体部位マーカーを表示することができ、かつタッチ・スクリーン上の２つの点に触れることによって、あるいはタッチ・スクリーン上で一点から別の点に指またはスタイラスをスライドさせることによって、この身体部位マーカーに対してその第１のアクティブな要素を識別するプローブ位置決めマーカーを設けることができる身体部位識別手段を備える。
【００３０】
このような身体部位識別マーカーの位置決めは、一般に、既知の電子表示システムでは非常に複雑である。タッチ・スクリーンを使用すると、超音波画像に表示される身体部位を表わす記号の表示を提案することによってこのような身体マーカーの位置決めと、タッチ・スクリーン上の２つの点に指を当てることによってあるいは一点から別の点に指をスライドさせることによる身体位置マーカーの位置決めとが容易になる。
【００３１】
この特徴は、時間識別マーカーを広範囲に利用することができるので特に有利であるが、このマーカーは実施が複雑であるとの理由から現在のところは広範囲に利用されていない。
【００３２】
本発明の有利な一特徴は、適用する手段によって、とりわけ第２のモニタ上から選択される画像が第１のモニタに自動的に表示されるといった事実にある。
このことによって、第２のモニタに表示される複数の複製画像の中から選択されて第１のモニタに表示される画像を大きい形式に変更することが可能になる。したがって、複数の画像の中からの画像の選択は、ユーザが最も使いやすいようになされうる。
【００３３】
本発明の有用な一特徴によると、第２のモニタは、第１のモニタに表示される少なくとも１つの超音波画像から得られる三次元体積を表示することができ、三次元移動手段によって、これらの三次元体積を第２のモニタの触知性を利用して操作することができる。
【００３４】
この特徴によって、生成元である二次元画像が主モニタに大きい形式で表示されたままであっても三次元体積をきわめて容易に操作することができる。また、タッチ・スクリーンは、最も人間工学的で自然な手動操作によって空間体積の操作に特によく適合される。
【００３５】
また、本発明は、上記画像を取り込むことが可能な超音波画像装置に結合された電子表示システムの第１のモニタに表示される超音波画像を処理する方法に関し：
−第１のモニタに表示される超音波画像を複製し、この複製を第１のモニタとは別のタッチ・スクリーン・モニタに送るステップと；
−タッチ・スクリーン上の複製の少なくとも一部を表示するステップと；
−スクリーンの触知性を利用して複製された画像に対して少なくとも１つの処理操作を実施するために使用される少なくとも１つの図形要素をタッチ・スクリーン上に表示するステップと；
−図形要素の仲介（ｉｎｔｅｒｍｅｄｉａｒｙ）を介して制御されるような処理を実施するステップと；
−第２のモニタに表示される複製超音波画像に対して第２のモニタによって実施されるすべての処理操作を迅速に実施するステップと；
−第２のモニタによる複製超音波画像に対して実施される処理操作の全部または一部を、第１のモニタに表示される超音波画像に迅速にあるいは延期して適用するステップと；
からなる画像処理手段をさらに備える。
【００３６】
好ましい一実施によると、方法の種々のステップは、コンピュータプログラム命令によって決定される。
したがって、本発明は、データ記憶媒体上のコンピュータプログラム製品に関し、このプログラムは本発明に従って電子表示システムで実施でき、このプログラムは方法のステップの実施に適合された命令を備える。
【００３７】
このプログラムでは、任意のプログラミング言語を使用することができ、ソースコード、オブジェクトコード、または部分的にコンパイルされた形態や任意の他の望ましい形態など、ソースコードとオブジェクトコードの中間コードの形態でありうる。
【００３８】
また、本発明は、データ記憶媒体に関し、データ記憶媒体は、電子表示システムによって読取られうるし、前述のようなコンピュータプログラム命令を備える。
データ記憶媒体は、プログラムを記憶することができる任意の実在物または任意のデバイスであってもよく、たとえば、媒体は、ＲＯＭ、たとえば、ＣＤ−ＲＯＭや超小型電子回路ＲＯＭ、あるいは、さらに磁気記憶媒体、たとえば、フロッピー（登録商標）ディスクやハードディスクなどの記憶手段を備えていてもよい。また、媒体は、ＵＳＢキーなどのメモリ、特に、ソフトウェア形態のコンピュータプログラムを包含しうる、いわゆる、フラッシュメモリであってもよい。
【００３９】
さらに、データ記憶媒体は、電気ケーブルまたは光ケーブルを介して、無線などの手段によって伝達可能な電気信号または光信号などの伝達可能な媒体であってもよい。本発明のプログラムは、特に、インターネット型のネットワークからダウンロードされてもよい。
【００４０】
あるいは、データ記憶媒体は、プログラムが組み入れられる集積回路であってもよく、集積回路は、検討中の方法を実行するように、あるいは実行する際に使用されるように適合される。
【図面の簡単な説明】
【００４１】
【図１】本発明による電子表示システムの略図である。
【図２】本発明の有利な一実施形態による第２のタッチ・スクリーン・モニタ上の複製画像の表示と図形要素の表示とを示す略図である。
【図３】本発明の別の実施形態における複製された画像の表示の別の実施例を示す。
【図４ａ】本発明の有利な一特徴による第２のタッチ・スクリーン・モニタ上の表示を示すもので、これによって撮像された身体部位の記号に時間識別マーカーを位置決めすることが可能になる。
【図４ｂ】本発明の有利な一特徴による第２のタッチ・スクリーン・モニタ上の表示を示すもので、これによって撮像された体部位の記号に時間識別マーカーを配置することが可能になる。
【図５】本発明の具体的な一特徴による第２のタッチ・スクリーン・モニタ上の表示を示す。
【発明を実施するための形態】
【００４２】
本発明の他の特徴および利点は、決して制限的でない本発明の例示的な実施形態を示す添付図面を参照して以下に記載する説明から明らかになるであろう。
図１は、本発明による電子表示システム１を概略的に示す。この電子表示システム１は、プローブ３を用いて媒体の画像を取り込むことが可能な超音波画像装置２に結合される。
【００４３】
本発明によると、電子表示システム１は、少なくとも１つの処理モジュール１０と２つの表示モニタ１１および１２とを備え、これらの１つ、表示ユニット１２はタッチ・スクリーンである。タッチ・スクリーン１２は、シングル・タッチ・スクリーンまたはマルチ・タッチ・スクリーンでありうる。
【００４４】
処理モジュール１０は、超音波画像装置２を用いて得られ第１のモニタ１１に表示されるような超音波画像の複製１０１に対して少なくとも１つのサブモジュールを備える。これらの複製１０１手段は、複製を第２のタッチ・スクリーン・モニタ１２に送り、ここで複製は少なくとも部分的に表示される。
【００４５】
このような複製は、既知の手段、たとえば、主モニタ上の過去のスクリーンキャプチャーの部分的な表示を用いて得られ、あるいは、第２のモニタに表示された画像を含む別のバッファーメモリ内の主モニタの画像を備えるバッファーメモリに保存し再コピーすることによって得られる。また、グラフィックスカードを介して、ビデオの流れを２つのモニタに出力先を変更するか、あるいは共有することが検討されてもよい。
【００４６】
図２は、タッチ・スクリーン・モニタ１２を示す本発明の例示的な実施形態を示し、モニタ１２では複製画像１２０がスクリーンの背景に表示されるが、スライドポテンショメータ１３０は複製画像１２０に重ね合わせられる。有利な一実施形態において、スライドポテンショメータ１３０は、時間利得補償に使用され、この補償は超音波信号振幅の増幅に対応する。
【００４７】
重ね合わされるポテンショメータの使用に関する他の応用は、心臓病学を対象として特に設計された構成に関する。この場合、新たな１組のポテンショメータがタッチ・スクリーンの制御パネル上で垂直に操作できる。
【００４８】
先行技術において、この補償は、一般に、電子表示システムの制御パネルに組み込まれ、一定数の物理的なスライドポテンショメータを使用し、したがって、ポテンショメータの最大移動距離はやはり固定される。この場合、ポテンショメータの数およびそれらの可動範囲を使用されるプローブおよび／または選定される臨床応用に関して修正することは可能でない。
【００４９】
したがって、既知の実施は制限される。これは、高周波プローブが使用されるときや、診断の深さが浅いときに特に障害となる。
本発明は、事実上、タッチ・スクリーン・モニタ１２の画像１２０に重ね合わされる所望の数のポテンショメータを表示するためにソフトウェアを修正するだけでポテンショメータの数を容易に修正できるという利点を有する。
【００５０】
また、必要なポテンショメータのみを表示することも可能である。たとえば、ポテンショメータが一連の深さのストリップに対応するように垂直に取り付けられるとき、得られる画像が浅い診断深さにある場合、最も深い領域に対応するポテンショメータを表示しないことが可能である。こうすることによって、最後のポテンショメータが使用されていないことに大抵は気付かないユーザを不安にさせがちなポテンショメータの中立復帰（ｎｅｕｔｒａｌｉｚｉｎｇ）が回避される。
【００５１】
また、本発明は、２つの画像処理の選択肢が可能である場合、ユーザが画像の診断深さを浅くするとき、所与の一定数のポテンショメータに関して探査深さに沿って利得増幅を再配分せざるを得ない状態を回避する。一定数のポテンショメータに関するこのような再配分は、種々の深さと、これらのポテンショメータの機械的な位置と採用される利得値との非干渉性との間の推移を経て移動するとき、画像全体にわたって一般的な利得の変動を生じるので、障害となる。さらに、自動利得補償が採用される場合、これらのポテンショメータの機械的位置とシステムによって採用される利得値との間に非干渉性がある。
【００５２】
本発明では、画像収集条件に基づいてデータに関する画像処理の要求に完全に適合するように、図形要素、たとえば、利得補償ポテンショメータを複製超音波画像に表示させることによって上記のすべての問題を解決することができる。
【００５３】
本発明の有利な一実施形態において、ポテンショメータ線に沿ったスライドの位置は、タッチ・スクリーン１２上の指の進路１３１とポテンショメータの各線との交差によって決定される。
【００５４】
このため、タッチ・スクリーン上の時間利得補償の実施を記載する文書で定められるような一般慣行、すなわち、水平移動における各ポテンショメータの個々の操作とは対照的に、すべてのポテンショメータ１３０が１回の移動で調整できるので、ポテンショメータの調整が抜本的に簡素化される。これは、タッチ・スクリーンの場合にのみ可能である。
【００５５】
上記によって、ユーザが手のひらまたは手の甲を使用するか、あるいは２本の指の間で個々に制御パネル上にあるすべての物理的なポテンショメータを操作せざるをえない状態を回避する。
【００５６】
したがって、深さに関する伝播媒質内での音波の減衰は、こうして決定される補正曲線によって素早く補償される。
とはいえ、タッチ・スクリーン１２上で仮想的に実施される各スライド個々の水平または垂直移動によって、各ポテンショメータを調整する準備をしておくことは可能である。また、マルチ・タッチ・スクリーン１２が使用される場合、ユーザは、複数のリニアポテンショメータを平行移動させることができる。
【００５７】
タッチ・スクリーン・モニタ１２は、処理モジュール１０の画像処理サブモジュール１０２に接続され、したがって、タッチ・スクリーン・モニタ１２によって実施される処理は、複製画像１２０に迅速に適用可能である。
【００５８】
ここで、本発明によって、ポテンショメータスライドの移動の影響が直ちに観察されるように、ポテンショメータ１３０のグラフ表示の下で背景に表示される複製超音波画像１２０を有することは最も有利であることが注目される。
【００５９】
この影響は、既知の表示システムで現在よく見られることであるが、ユーザが制御要素から単一表示モニタの方に視線を上げなくても見える。
処理モジュール１０は、処理を適用するサブモジュール１０３を有利に備え、複製画像１２０に対して実施される処理を迅速に適用するかあるいは延期して適用するかを選定することができ、これらの処理操作の一部または全部を選定することができる。
【００６０】
サブモジュール１０３によって選定される超音波画像の処理操作は、第１の表示モニタ１１に表示される超音波画像に直接適用される。
本発明に従って使用される２つのモニタによって、ユーザは、最大のサイズと最良の分解能で表示される第１のモニタ１１で任意の時間に最良の調整を行なって超音波画像を全体として分析することの利益を維持する。また、ユーザは、処理操作を画像全体に移行する前に第２のモニタ１２で画像処理操作を調整してもよい。
【００６１】
また、電子表示システム１でタッチ・スクリーン１２を使用すると、タッチ・スクリーン・モニタ１２上で特定の指の動きを直接介して複製画像の特定領域にズームインすることが可能になる。たとえば、拡大ズームは、タッチ・スクリーン１２上の２本の指の広がりに関連している可能性があり、タッチ・スクリーン１２上で最初は離れていた２本の指を互いに近づけると画像が縮小する。このような機能は、タッチ・スクリーン技術において周知であり、本明細書ではさらに詳細には説明しない。
【００６２】
しかしながら、ズームウィンドウを作成するために２本の指を広げて使用することは、マルチ・タッチ・スクリーンの場合にのみ可能である。
したがって、タッチ・スクリーン１２上で「エンコーダー」と一般に呼ばれる回転ホイールを用いてこの機能を実現することが可能であり、このホイールは画像に対してその中心からのズームインするために使用され、ズーム比は種々のズーム比の中から選定される。
【００６３】
このように、補償の調整は、ズーム機能を用いて定められる縮小されたサイズの領域で実現可能である。したがって、微調整された局所補償調整は、本発明によって容易に実現可能である。
【００６４】
タッチ・スクリーン・モニタ１２上の画像に対してズームインするとき、主モニタ１１上の画像はズームされないので、この主モニタ１１上の診断に有用なすべての詳細を評価することが可能になると同時に、利得調整に続くさらなる微調整による分析のためにタッチ・スクリーン１２上で病変のコントラストを観察することが可能になることに留意されたい。
【００６５】
上記の調整は、主モニタ１１上に表示されるような画像に引き継がれても、引き継がれなくてもよい。
有利な一実施において、グラフィカルポテンショメータ１３０が触れられないときにタッチ・スクリーン１２上の複製された超音波画像１２０を認知しやすいように、これらのポテンショメータは実際には透明化される。他方、これらのポテンショメータは、より望ましい調整を実現するためにその１つが触れられると直ちに不透明になる。
【００６６】
図３は、複製超音波画像１２０が異常１２１を含む領域１２０’にズームされている特定のスクリーン表示を示す。
ズームウィンドウを定める領域１２０’が移動できるように事前の備えがなされる。このような移動は、ズームされた画像の端に表示される垂直および／または水平スクロールバーを用いて得られる。スクロールバーの代わりに、当業者に既知の方法でズームウィンドウを所望の方向に並進させるために移動されるスクリーンに指を直接当てることも可能である。
【００６７】
図３に示されるように、本発明に従って、ズームされた領域１２０’の移動に対して移動可能なズームウィンドウを表わすフレーム１５１付きの超音波画像全体を表わすサムネイル１５０を用いてズームウィンドウの移動を識別することが賢明である。
【００６８】
ズームウィンドウを移動するために、ズームウィンドウの所望の新たな位置に対応する位置を指でクリックするか、あるいはズームウィンドウを表わすフレーム１５１を指で新たな位置にスライドさせるようにしておいてもよい。
【００６９】
ズームウィンドウ１５１が関心領域に正しく位置決めされると、ズームされた領域１２０’は、特に、異常１２１をきわめて正確に測定するために、あるいは、異常１２１の形状を決定するために有利に使用される。病変または異常１２１の測定は、指またはスタイラスをタッチ・スクリーン上に表示される画像に直接当て、本発明によって提案される一定数の測定機能を用いて、非常に素早くかつ正確になされうる。通常、使用される測定ツール、マウスやトラックボールは、モニタから遠ざけて置かれる。これは移動の卓越した調整を必要とする。このことによって、たとえば、病変の周辺を測定するときなど、使いやすさと測定精度に支障が出る。
【００７０】
具体的には、キーはタッチ・スクリーン１２上に描かれうる。これらのキーは、重ね合わせられるか否かにかかわらず、アクティブにされると、幾何学的要素がズームされた図１２０’に描かれて測定が可能となる。
【００７１】
図３の実施例において、キー１４１は２点間の線をたどることによって２点間の距離を測定するために使用されるキーであり、キー１４２は表面、周囲、短軸または長軸の長さを測定する働きをする楕円を描くために使用されるキーであり、キー１４３は、たとえば、異常１２１の周囲に輪郭をフリーハンドで描くことができるキーであり、１４４はズームパワーを表示するウィンドウである。
【００７２】
一定数の他のボタン／キーは、この表示ウィンドウの終了（ボタン１４５）、全体として描かれるような幾何学的要素の削除（ボタン１４６）、個別の削除（ボタン１４７）、測定の凍結（ボタン１４８）、および複製画像１２０’に描かれた幾何学的要素の凍結の可能性を提供する。
【００７３】
種々の測定値および幾何学的要素が確定されると同時に、これらは、リアルタイムで、あるいはモニタ１１に表示されるような画像に対してこのキー１４８をアクティブにすることによって、直ちに再現される。
【００７４】
本発明のこれらの機能があれば、フリーハンドで描かれた外周または表面を測定することがきわめて容易である。このことは、病変または異常１２１の輪郭およびサイズを特徴付けるうえで特に有用である。
【００７５】
たとえば、周囲を測定する線をたどるために、タッチ・スクリーン１２上の原点に指の位置を定め、この後、異常１２１の輪郭が指またはスタイラスで追跡される。この後、この測定は、指またはスタイラスを離すか、測定を受け入れる専用の選択キーを押すことによって終了する。
【００７６】
本発明によると、測定カーソルおよび進行中のトレース線をタッチ・スクリーン・モニタ１２上および主モニタ１１上に同時に表示することが意図される。このようにすると、主モニタ１１に対して従来の測定アプローチを維持できると同時に、より小型のタッチ・スクリーン１２上で作業することによってきわめて正確な測定を行なえる可能性を提供することが可能である。
【００７７】
タッチ・スクリーン・モニタ１２を使用すると、モニタ１２の触知性とこのモニタへのコントロールの移行とを利用した他の有利な特徴を実現することができる。
図４は、プローブマーカーが身体部位マーカーに対して位置決め可能な特徴の１つを示す。
【００７８】
図４ａに示されるように、本発明によると、複数のボタンによって、タッチ・スクリーン１２上で、撮像された器官、この場合、乳房に完全に適合される様々な種類の身体部位点（ｂｏｄｙ  ｌｏｃａｔｉｏｎ  ｐｏｉｎｔ）の間で直接選定することが可能となる。図４ａに示される実施例において、身体部位は乳房に関する。ボタン１６１ｄ〜１６４ｄは右乳房に関する種々の身体部位点を提供し、ボタン１６１ｇ〜１６４ｇは左乳房に関する種々の身体部位点を提供する。
【００７９】
選択された時点で、図４ｂにおいて１６５で示され、選定された左乳房を描く身体部位点は、この後、図４ｂに示されるように全画面表示される。
この後、プローブマーカー１６６は、検査が進行中に身体部位点１６５に対してプローブが位置決めされた点の一端から他端に指をスライドさせることによって、あるいはプローブが身体部位点１６５に対して位置決めされた場所の２つの端をポイントプレスすることによって、タッチ・スクリーン１２上できわめて容易に位置決めが可能となる。
【００８０】
この後、プローブマーカー１６６は、直線セグメントによってタッチ・スクリーン１２上に描かれる。たとえば、半円形または円形の新たなグラフが、タッチ・スクリーン１２上の第１の接点に現われて、プローブの第１の音響要素の位置を示す。身体部位点の最初の選択では、この点はモニタ１１に自動的に表示される。
【００８１】
モニタ１１上で身体部位点の表示または非表示を選定できる「表示」キーまたは「マスク」キーをアクティブにすることによって、表示されるような超音波画像に印刷する身体部位点が付随したプローブマーカーを送ることも送らないことも可能である。キー１６７は、別の身体部位点を選定することができるよう、図４ａに示されるような表示に戻るために使用される。キー１６８は、この機能を終了するために使用される。
【００８２】
この特徴は、マーカーの位置決め手段を既知の身体部位点に適用しないようにする。通常、身体部位点の選択は、制御パネル上のボタンによって行なわれる。このボタンには、１組の部位点が示され、これらの部位点から所望の点が選定されなければならない。所望の点が選定されると、この部位点は主モニタに表示され、第２の動作は身体部位点へのプローブマーカーの位置決めからなる。
【００８３】
プローブマーカーは身体部位点１６５の対応する場所で位置決めされなければならず、この後、プローブマーカーは回転によって正しい方向に向けられなければならないので、上記のような操作を実行することは容易でない。これは、並進移動を伴い、その後に、回転運動が続いてユーザに種々のコントロールを作動させるよう強要する。プローブマーカーの非常に簡単な位置決めを提案する本発明の利益を理解することは容易である。
【００８４】
図５は、本発明によって容易に実施可能な第２の有利な特徴を示す。この特徴では、最新のすべての超音波装置と同様に、患者データおよび画像注釈を入力するための物理的な英数字キーボードを使用しなくて済む。その主な欠点は、キーボードはめったに使用されないものの制御パネルが非常に扱いにくくなることである。
【００８５】
空間の使用についてのこの問題を解決するために、既知の観察システムで使用される単一表示モニタ上で図式的に表わされる仮想キーボードを使用することが知られている。しかしながら、これは、超音波画像に対する利用可能空間を減らすと同時に、モニタに頼らざるをえないユーザに対してこれらのコントロールの最適な位置決めを提供しないので、実用的でない。
【００８６】
本発明では、重ね合わされた表示に関する本発明に特有の機能に加えて、仮想キーボードを表示して制御パネルの混雑を制限し、仮想キーボードのこのような使用をより実用的にするためにタッチ・スクリーン・モニタ１２を使用することができる。上記の仮想キーボードはユーザの言語で容易に構成可能であるので国際化キーボードに対する要求を満たすことはきわめて容易であることが具体的に確認される。また、単一モニタ、さらにはタッチ・スクリーン・モニタが使用される場合と異なり、タッチ・スクリーン１２は、ある距離を置いて、表示システムを使用する人の手の届く理想範囲内で、主モニタ１１のユーザの視界を妨げずに設置することが可能である。
【００８７】
図５において、タッチ・スクリーン１２に示されるキーボード１７０には、キーボード１７０のキーの真上のタッチ・スクリーン１２上に位置決めされたテキストフィールド１７１が付随している。これは、ユーザが書込みの挿入を目的として仮想キーボードと表示モニタ１１の両方を見ざるを得ない状態を回避する。
【００８８】
実際には、テキストフィールド１７１は可視的な文字数が必然的に制限されており、表示は有利なことに右から左へのスクロール表示である。このことによって、常に、入力される最後の文字を表示してチェックすることができる。
【００８９】
テキストの全体はメモリの中に残り、したがって、エラーは従来の前方削除ツールまたは後方削除ツール、あるいはカーソルの再位置決めを用いて修正可能である。有利なことに、ユーザがカーソルを主モニタ１１に表示されるような超音波画像内の別のテキストゾーン移動するとき、あるいは仮想キーボード上で適切なキーを押すとき、フィールド行１７１はその内容が空の状態にある。
【００９０】
有利なことに、ユーザがテキストを備える領域でテキストカーソルを位置決めするとき、このテキストはキーボード１７０のテキストフィールド１７１に表示される。このため、どんな変更も素早く編集することが可能である。
【００９１】
マルチ・タッチ・スクリーンの使用では、仮想キーボード１７０上でキーの組合せが管理可能であることが確認される。たとえば、従来のキーボードで知られる組合せを用いて「大文字」と「小文字」の選定が可能である。
【００９２】
とはいえ、シングル・タッチ・スクリーンが使用される場合、仮想キーボードが提供する柔軟性によって、アルファベット文字と同様に直ちにアクセスできる特殊文字の行を生成するこができ、「大文字」から「小文字」に、またこれとは逆に、キーボード全体を変更するための専用キーが備えられてもよい。
【００９３】
他の機能は、本発明によって、タッチ・スクリーン１２を直接使用して画像表示とは独立に実施できる。このことは、複数の用語の中から１つの用語を選択することによって画像に注釈が付けられるように、本発明の電子表示システムおよび／またはこの電子システムに接続された超音波装置が注釈について設定可能な辞書を備えるときに、特に当てはまる。
【００９４】
本発明は、タッチ・スクリーン１２上で直接指またはスタイラスを使って辞書の中の種々の注釈をスクロールして、その後に関心のある注釈を選定する可能性をユーザに提供する。
【００９５】
この解決策の長所は、複数ページを検索せざるをえない状態を回避し、より速く所望機能にアクセスできることである。
さらに、指またはスタイラスで各注釈ボタンを所望位置に移動することによって、注釈の辞書を再編成できるようにしておくことが可能である。
【００９６】
別の特徴によると、従来の超音波装置は、進行中の検査に関するアーカイブ画像を表わすサムネイルの表示を提供する。
この表示は、一般に、単一モニタの端の１つに与えられ、ユーザがここをクリックすることによって、その全画面表示に対する画像を、特に、注釈および／または測定を目的として選択することができる。
【００９７】
最新の手段を用いて進行中の検査に関するアーカイブ画像の中から所望の画像を選択することは、関心のある画像を探してからこの画像を選択するためにサムネイルをスクロールする必要があり、複雑である。これは、一般に、この画像を選択する専用手段と選択ポインター、たとえば、マウスポインターのいずれを選ぶかの裁定となる。
【００９８】
「レビュー」モードがある場合、収集されて記憶された画像の複数のサムネイルが検査中に保存される。これらは、このモードがアクティブにされてユーザがこれらを頻繁に再編成したいときに表示される。この操作は、困難であるうえに既知の手段ではほとんど思い当たらないことが分かる。本発明では、進行中の検査に関するアーカイブ画像を表わすすべてのサムネイルをタッチ・スクリーン１２に切り換えて、これらの画像を同時にスクリーン上に表示せずに識別できるように十分なサイズで表示することが可能である。
【００９９】
また、本発明によると、タッチ・スクリーン１２上で専用のコントロールを用いて、たとえば、マルチ・タッチ・スクリーン上で２本の指でサムネイルの１つを拡大し、この後、他のサムネイルも自動的に同じサイズになるようにすることによって、サムネイルのサイズをユーザが制御しうるようにすることも可能である。
【０１００】
スクリーン上に現われていないか、あるいは一部しか現われていないサムネイルを見るためには、スクロールバーを指で操作するとサムネイルを移動させることができる。
この後、タッチ・スクリーン１２上で指またはスタイラスでダブルクリックまたはダブルストライクすると、サムネイルの全画面が第１のモニタ１１上に表示される。
【０１０１】
画像を再編成する場合、タッチ・スクリーン１２を使用するとユーザのタスクが簡素化される。ユーザは、指またはスタイラスを用いて画像を選択し、これを右から左に、あるいは上から下にスライドさせる。指の圧力を解放すると、画像は上記のようにスライドさせて定められた点に挿入され、他の画像は自動的に位置を変える。
【０１０２】
サムネイルがスクリーン端の１つの方に移動されて、ほかに目に見えないサムネイルがあれば、これらのサムネイルはタッチ・スクリーン１２上に表示するためにシステムによって自動的に移動されて、選択されたサムネイルを選定された点に挿入することができる。
【０１０３】
また、本発明では、三次元体積の操作または３つの回転軸を中心とする関連切断面の操作を容易に行なうことができる。
ポテンショメータに基づく上記の調整は、一般に、回転軸当たり１箇所であり、現在のところ、従来型の超音波装置に対して可能である。
【０１０４】
本発明は、表示面内で体積または切断面を変換することについての要求を満たすことができる。本発明では、超音波画像表示モニタ１１から独立しており、しかも三次元体積または関連切断面の移動が可能なタッチ・スクリーン１２を有することが可能である。
【０１０５】
上記の体積または切断面がタッチ・スクリーン１２上で複製された時点で、体積または切断面の中心において指またはスタイラスの位置を定めるために、スクリーン１２の平面内での指またはスタイラスの移動方向への移動が命令される。
【０１０６】
スクリーン１２の平面内における体積の回転は、画像端の１つで指またはスタイラスの位置を定め、この指またはスタイラスをスクリーン端の１つに対して平行移動することによって行なわれる。
【０１０７】
スクリーン１２の平面に垂直な軸を中心とする回転は、対象の周囲で指またはスタイラスの位置を定める手段、この対象の周囲にほぼ追随してこの指またはスタイラスを円運動させる手段、あるいはタッチ・スクリーン１２上の回転ノブを使用する手段の１つを選定することによって可能である。
【０１０８】
また、体積にズーム機能を使用し、その後に「フライスルー」、すなわち、このズームされた体積の可視化が続くようにすることも可能である。
フライスルーが後に続くこのズーム機能は、ズーム比を増加させる回転ノブを使用し、ノブを時計回りに回転させてフライスルーを可能にすることによって実現可能である。逆に、ズーム比は減少でき、体積はノブを反時計回りに回転させることによってユーザから距離を置くことができる。
【０１０９】
また、タッチ・スクリーン１２がマルチ・タッチ・スクリーンである場合、体積の中心近くに２本の指の位置を定め、所望のズーム効果に応じてこれらの指を互いに遠ざけたり近づけたりすることも可能である。
【０１１０】
最後に、様々な実施形態が以下の特許請求の範囲で定められる本発明の原理に従って実施可能であることが注目される。
【図１】
0005877946.tif 000002
【図２】
0005877946.tif 000003
【図３】
0005877946.tif 000004
【図４ａ】
0005877946.tif 000005
【図４ｂ】
0005877946.tif 000006
【図５】
0005877946.tif 000007